(57)【要約】【課題】配線クランプを成形する際に用いられる金型のサイズ及びコストの増加を抑制することができ、製品コストの低減を図ることができる配線クランプを提供する。【解決手段】  配線クランプ１は、被結束物を巻回して保持するバンド３０と、バンド３０に連設されたバックル部２０とを備え、バンド３０は、長手方向に間隔をおいて形成された係止歯３１を有し、バックル部２０には、内部を軸方向に貫通形成され、バンド３０を挿通するためのバンド挿通路２２と、バンド挿通路２２に挿通したバンド３０の係止歯３１に係合してバンドを巻回した状態に保つ被係止歯２５１を有するロック片２５とが設けられ、バックル部２０を前方から見たときに、バンド挿通路２２内に位置するロック片２５が露出する開口部Ｒがバックル部２０に形成されている。【選択図】図５
2020054230.tif 000002
【特許請求の範囲】
【請求項１】
被結束物を巻回して保持するバンドと、該バンドに連設され、前記被結束物を載置する頂面を有するバックル部とを備え、前記バックル部内部を軸方向に貫通して形成された挿通路に前記バンドを挿通して引き締められることにより前記頂面上に載置した前記被結束物を拘束する配線クランプであって、
前記バンドは、長手方向に間隔をおいて形成された係止部を有し、
前記バックル部には、前記挿通路に挿通した前記バンドの前記係止部に係合して前記バンドを巻回した状態に保つ被係止部を有するロック片が設けられ、
前記バックル部を前方から見たときに、前記挿通路内に位置する前記ロック片が露出する開口部が前記バックル部に形成されている、配線クランプ。
【請求項２】
前記バンドは、取付パネルの取付孔の軸方向に沿って延在して設けられ、
前記バンドの根元部分には、前記バンドのうち他の部分よりも薄く形成されると共に、側面断面視において屈曲した形状を呈する屈曲部が設けられている、
請求項１に記載の配線クランプ。
【請求項３】
前記屈曲部における幅方向の中央側には、前記バンドを厚さ方向に貫通する貫通穴が形成されている、
請求項２に記載の配線クランプ。
【請求項４】
前記バンドの根元部分には、前記バンドの中央部よりも前記バンドの幅方向に拡張した拡幅部が設けられている、
請求項２又は３に記載の配線クランプ。
【請求項５】
前記開口部は、前記バンドを挿通可能な間隙を有するように開口した第１開口部と、前記第１開口部より幅方向の寸法が小さく開口した第２開口部とを有し、
前記バンドの先端部は、前記第２開口部よりも幅方向の寸法が小さくなるように先細り形状を呈しており、
前記バンドのうち前記先端部を除いた部分は、前記第２開口部よりも幅方向の寸法が大きく形成されている、
請求項１乃至４のいずれか一項に記載の配線クランプ。
【請求項６】
前記バックル部の両側には、取付パネルの取付孔の内周縁と係合する取付片が設けられ
、
前記取付片には、前記バックル部の中心軸から離れる方向に延在し、且つ、前記取付孔の軸方向に対して弾性変形可能な可撓性の脚片が連結され、
前記脚片は、前記取付片を前記取付孔の内周縁に係合したときに、その先端部が前記取付パネル表面に弾性接触する、
請求項１乃至５のいずれか一項に記載の配線クランプ。
【発明の詳細な説明】
【技術分野】
【０００１】
本発明は、配線クランプに関する。
【背景技術】
【０００２】
ワイヤハーネスや電線等の長尺部材をパネル等の基板に取付ける長尺部材用クランプが知られている。長尺部材用クランプは、長尺状のバンドと、そのバンドに連設されたバックル部とを主な構成とし、一般的には合成樹脂材によって一体に成形されている。
【０００３】
例えば下記特許文献１の長尺部材用クランプは、長尺部材の外周面を巻回して保持する長尺状のバンドと、該バンドで巻回した長尺部材を支持面に載置し且つそのバンドの巻回状態を保持するバックル部と、該バックル部に連結され、パネル等の基板に形成された取付孔に係合するクリップと、を備える。バックル部には、内部にバンドを案内する挿通路が形成され、当該挿通路には、バンドを挿通路に挿通したときに、バンドの係止部に係合してバンドを巻回した状態に保つための係止爪が設けられている。この長尺部材用クランプによって長尺部材を保持する際には、例えば先に保持する対象物である長尺部材にバンドを巻回し、バンドの先端をバックル部の挿通路に挿通させ、挿通した先端部を引っ張ってバックル部の支持面上に長尺部材を拘束する。その上で、バックル部に設けられたクリップを、パネル等の基板の取付孔に係合させて、長尺部材を保持した長尺部材用クランプを基板に取付ける。
【先行技術文献】
【特許文献】
【０００４】
【特許文献１】特許４２５７２８８号公報
【発明の概要】
【発明が解決しようとする課題】
【０００５】
ところで、前述したように樹脂材によって一体に成形される配線クランプは、通常、射出成形により成形される。射出成形品は、金型のキャビティに樹脂を射出し、射出した樹脂を金型から取り出すことで得られるものである。しかし、特許文献１の配線クランプは
、金型を単純に開くだけでは取り出せないアンダーカット部（例えば、特許文献１の図５等に示されるバックル部５の挿通路１９の内部に形成された係止爪１５）が存在する形状となっている。当該アンダーカット部が存在すると、例えばスライドコア等を有する金型構造を用いて成形する必要があるが、その場合には、金型サイズが大きくなることに加えて金型コストが増加し、ひいては製品コスト高を招くおそれがあった。
【０００６】
そこで、本発明は、配線クランプを成形する際に用いられる金型のサイズ及びコストの増加を抑制することができ、製品コストの低減を図ることができる配線クランプを提供することを目的とする。
【課題を解決するための手段】
【０００７】
本発明の一態様に係る配線クランプは、被結束物を巻回して保持するバンドと、該バンドに連設され、被結束物を載置する頂面を有するバックル部とを備え、バックル部内部を軸方向に貫通して形成された挿通路にバンドを挿通して引き締められることにより頂面上に載置した被結束物を拘束する配線クランプであって、バンドは、長手方向に間隔をおいて形成された係止部を有し、バックル部には、挿通路に挿通したバンドの係止部に係合してバンドを巻回した状態に保つ被係止部を有するロック片が設けられ、バックル部を前方から見たときに、挿通路内に位置するロック片が露出する開口部がバックル部に形成されている。
【０００８】
この態様によれば、バックル部を前方から見たときに、挿通路内に位置するロック片が露出する開口部がバックル部に形成されている。このような開口部がバックル部に形成されることにより、金型を用いてバックル部成形品を成形する際に、金型を一方向に操作するだけでロック片を含むバックル部全体を成形することが可能となる。言い換えれば、金型を単純に開くだけでは取り出せないアンダーカット部を有しない成形品とすることができる。これにより、アンダーカット部を成形するために、例えばスライドコアを有する金型構造を用いる必要がなくなるので、アンダーカット部を成形するための金型構造と比較して金型構造を単純化することができる。その結果、金型サイズ及び金型コストの増加を抑制することができ、製品コストの低減を図ることができる。
【発明の効果】
【０００９】
本発明によれば、配線クランプを成形する際に用いられる金型のサイズ及びコストの増加を抑制することができ、製品コストの低減を図ることができる配線クランプを提供することができる。
【図面の簡単な説明】
【００１０】
【図１】本実施形態における配線クランプの構成を説明するための斜視図である。
【図２】図１に示す配線クランプの構成を示す正面図である。
【図３】図１に示す配線クランプの構成を示す側面図である。
【図４】図２に示す円ＩＶの拡大図である。
【図５】図４のＶ−Ｖ断面を示す断面図である。
【図６】取付パネルへの取付状態の一例を示す側面図、背面図である。
【図７】取付パネルへの取付状態の他の例を示す側面図、背面図である。
【図８】変形例における配線クランプの構成を示す側面図である。
【発明を実施するための形態】
【００１１】
以下添付図面を参照しながら本発明の実施形態について説明する。説明の便宜上、前後左右及び上下に関しては、図１に示すものを基準にしている。各図において、同一の符号を付したものは、同一の又は同様の構成を有する。
【００１２】
図１〜図５を参照しながら、本実施形態における配線クランプの構成について説明する
。図１は、本実施形態における配線クランプの構成を説明するための斜視図であり、図２は、配線クランプの構成を示す正面図であり、図３は、配線クランプの構成を示す右側面図である。図４は、図２に示す円ＩＶの拡大図であり、図５は、図４のＶ−Ｖ断面を示す断面図である。
【００１３】
配線クランプ１は、電線やワイヤハーネス等の円形断面の長尺部材（以下、被結束物とも称する）をパネル等の被取付部材に取付けるため、被結束物の外周面を巻回して保持する機能を備える。図１に示すように、本実施形態に係る配線クランプ１は、バンド３０と
、バックル部２０とを備える。これらバンド３０とバックル部２０とは弾性のある樹脂材料によって一体形成されている。
【００１４】
バンド３０は、ワイヤハーネスや電線等の被結束物の外周面を巻回して保持する帯部である。図１〜図３に示すように、バンド３０は、バックル部２０の一端（図１ではバックル部２０の上端）を根元部分として、ワイヤハーネスや電線等の被結束物を巻回保持できるように、細長く延びている。バンド３０は、取付孔４１の中心軸ＡＸに沿う方向（バックル部２０の頂面（被結束物を載置する面）に対して略垂直な方向）に延在するように設けられている。
【００１５】
図２に示すように、バンド３０の先端部３６は、先端側に向かうに従い幅狭となる先細り形状を有している。またバンド３０の先端部３６は、図３に示すように、バンド３０の延在方向Ｐに対して後方側に傾斜している。バンド３０の巻き付け側となる内側面（図３では左側面）には、長手方向に一定間隔で列状をなす複数の係止歯３１が形成され、その両側縁にはリブ３２が形成されている。バンド３０の外側面３３（図３では右側面）には
、幅方向両端から幅方向中央に向かって徐々に厚みが減少する傾斜面が形成されている。
【００１６】
バンド３０の根元部分には、他の部分よりも幅方向に拡張し且つ薄く形成された拡幅部３４が設けられており、小径の被結束物を巻回するのにバンド３０がより撓み易くなっている。なお、被結束物を巻回し、配線クランプ１を取付パネル４０に取付けた状態の構成については後述する。
【００１７】
ところで、前述したように、バンド３０の根元部分を薄く形成することにより、バンド３０がより撓み易くなり、小径の被結束物を巻回するのに適したものとなる。しかしながら、このようにバンド３０の根元部分を薄く形成しただけではバンド３０の撓み量が十分ではなく、大径の被結束物を巻回する場合には、大径の被結束物の軸心（或いは、ハーネスを束線した際の束線中心）と取付パネル４０の取付孔４１の中心軸ＡＸとがオフセットしてしまうおそれがある。
【００１８】
そこで、本実施形態では、バンド３０の根元部分における基端側（バンド３０とバックル部２０との接続部）に、他の部分よりバンド３０の厚さが薄く形成され且つ屈曲した屈曲部Ｓが設けられている。屈曲部Ｓは、バンド３０の幅方向（図１の左右方向）における一端から他端まで延在して設けられ、図３に示すように、配線クランプ１の側面視において（配線クランプ１を左右方向から見たときに）、後方側に屈曲した形状を呈している。
【００１９】
このように屈曲部Ｓがバンド３０の根元部分に形成されることにより、バンド３０の撓み易さが向上するので、例えば大径の被結束物を巻回する場合には、バンド３０の根元部分から撓んだ状態でバックル部２０の上面に載置した被結束物の外周面に沿うように支持することができる。これにより、被結束物の外径の変化に伴う軸心の変位量を抑えることができる。その結果、例えば大径の被結束物を巻回する場合でも、大径の被結束物の軸心（或いは、ハーネスを束線した際の束線中心）を取付孔４１の中心軸ＡＸ上に位置するように支持することができ、当該軸心と中心軸ＡＸとがオフセットすることを抑制することができる。
【００２０】
なお、屈曲部Ｓは、図５等に示す例では、側面視において円弧状の一端から他端に向かう途中で後方側に突出するように屈曲した形状を呈しているが、これに限定されない。屈曲部Ｓは、例えば、図８（Ａ）に示す、一端から他端に向かう途中で後方側に突出した後
、前方側に突出するように、複数回屈曲した形状としてもよく、或いは、図８（Ｂ）に示すように、下方側の一端付近でより一層薄く前方側に抉られた形状Ｓ´としてもよい。本実施形態における屈曲部Ｓは、バンド３０の撓み易さを向上させる機能を有していればその他の様々な態様に変形することができる。
【００２１】
ところで、配線クランプ１を用いて被結束物を拘束するときには、後述するように、バンド３０をバックル部２０のバンド挿通路２２内に挿通し、バンド３０の係止歯３１をロック片２５の被係止歯２５１に係合させる。このように係合させた際に、バンド３０に引張荷重が加わり、この引張荷重が、バンド３０からその根元部分にある屈曲部Ｓを介して支柱体２１に伝達され、支柱体２１が変形するおそれがある。支柱体２１の変形に伴いロック片２５が係止歯３１と被係止歯２５１の係合が解除される方向に移動し、係合が維持できなくなるおそれがある。
【００２２】
そこで本実施形態では、図４に示すように、配線クランプ１の正面視において（すなわち、配線クランプ１を前方から見たときに） 、バンド３０の根元部分に形成された屈曲部Ｓの幅方向中央側には、バンド３０の厚さ方向に貫通する貫通穴３５を形成している。これにより、バンド３０の係止歯３１がロック片２５の被係止歯２５１に係合した際にバンド３０に加わる引張荷重の支柱体２１への伝達が分散され、支柱体２１におけるロック片２５と屈曲部Ｓとの接続付近の変形が抑制され、係止歯３１と被係止歯２５１の係合が確実に維持される。
【００２３】
なお、バンド３０に形成された貫通穴３５は、本実施形態では、正面視山型状に形成されているがこれに限定されるものではなく、その形状や大きさは様々な態様に変形することが可能である。
【００２４】
バンド３０の根元部分（図１においてバンド３０の下端部）には、バックル部２０が連結されている。
【００２５】
バックル部２０は、バンド３０の巻回状態を保持する機能を有すると共に、取付パネル４０の取付孔４１に挿着可能な係止脚としての機能を具備するもので、 図４に示すように
、支柱体２１と、この支柱体２１の両側に対向するように対をなして配設されたクリップ片２３（取付片）と、これらクリップ片２３にそれぞれ連結された対をなす脚片２４とを備える。これら支柱体２１、クリップ片２３及び脚片２４は、樹脂材料の弾性によって弾性変形が可能である。
【００２６】
支柱体２１は、バンド３０の巻回状態を保持するための部材であり、内部にバンド３０を挿通するバンド挿通路２２を有する。バンド挿通路２２は、支柱体２１の上方側から下方側にバンド３０を挿通可能とするために支柱体２１内部を軸方向に貫通して形成されている。このバンド挿通路２２に臨む部位にロック片２５が形成されている。ロック片２５には、バンド３０の係止歯３１に係合される被係止歯２５１（図５等）が一体に設けられている。このような構成により、バンド挿通路２２にバンド３０が挿通されたときに係止歯３１が被係止歯２５１に係合し、バンド３０を挿通した方向と反対方向に移動させることを係止してバンド３０をロックさせるようになっている。なお、本実施形態では、被係止歯２５１は、図５に示すように、ロック片２５の前方側の面に突出して複数形成されている。
【００２７】
本実施形態では、バックル部２０の前方側が開口した形状を有している。詳細には、バックル部２０を前方から見たときに、バンド挿通路２２内に位置するロック片２５が露出する開口部Ｒがバックル部２０に形成されている。言い換えれば、配線クランプ１の正面視において、バンド挿通路２２内に位置するロック片２５が露出するように、支柱体２１の前面２１ｂからバンド挿通路２２まで連通する開口部Ｒが支柱体２１に形成されている
。更に言い換えれば、バンド挿通路２２のうちロック片２５の前方側の領域が開口する開口部Ｒが支柱体２１に形成されている。
【００２８】
バックル部２０の前方側に形成された開口部Ｒは、図４に示すように、正面視において略Ｔ字状に開口した形状を呈している。詳細には、開口部Ｒは、バンド３０と所定の隙間をもって挿通可能なように、バンド３０のうち先端部３６及び根元部分を除いた部分（以下、バンド本体部（バンド中央部）とも称する）の幅Ｄ１（図２）より幅方向に大きく開口した第１開口部Ｒａと、当該第１開口部Ｒａの幅よりも幅方向に小さく開口した第２開口部Ｒｂとを有する。バンド３０は、その先端の幅が第２開口部Ｒｂの幅Ｄ２（図４）より小さい先細り形状を呈しており、バンド本体部の幅Ｄ１は、第２開口部Ｒｂの幅Ｄ２よりも大きくなっている。
【００２９】
このように、バンド本体部の幅Ｄ１より第２開口部Ｒｂの幅Ｄ２を小さく形成しているので、バンド３０をその先端側からバンド挿通路２２内部に順次挿通させる途中の段階において、バンド３０が第２開口部Ｒｂを通して前方側に解放されることを抑えることができる。これにより、バックル部２０の前方側が開口した開口部Ｒを設けた構成としながら
、バンド３０をバックル部２０のバンド挿通路２２内に挿通させる挿通作業性を向上させることができる。
【００３０】
なお、開口部Ｒは、正面視において略Ｔ字状に開口した形状を有しているが、この例に限定されるものではない。開口部Ｒは、アンダーカット部（成形品を金型から出す時、そのままの状態では離型できない凸形状や凹形状）が存在しないように、バックル部２０に開口した形状を有していれば、他の様々な態様に変更可能である。言い換えれば、本実施形態における開口部Ｒは、被係止歯２５１を有するロック片２５の外形に対応するようにバックル部２０の前方側が開口した形状を有していればよい。
【００３１】
また、本実施形態では、ロック片２５が、正面視において略矩形の外形を有し、頂面２１ａに対して下方側に延びるように構成されているが、この態様に限定されない。すなわち、ロック片２５は、バンド３０をロックさせる機能を有する被係止歯２５１を設けていればよく、その形状や大きさは他の様々な態様に変更することができる。
【００３２】
なお、支柱体２１は、その上部にバンド３０により巻回された被結束物を載置する頂面２１ａを有する。頂面２１ａは、バンド３０を上方側からバンド挿通路２２内に挿入可能とするようにその一部が開口し、当該開口はバンド挿通路２２の入口側開口部を構成している。本実施形態では、開口部Ｒはバンド挿通路２２に連通して形成されているため、開口部Ｒを設けない構成と比較してバンド挿通路２２の入口側開口面積が大きくなり、バンド３０を上方側からバンド挿通路２２内へ挿通させ易くなっている。支柱体２１の後方側には、支柱体２１の両側から左右方向に延出した連結部２７が接続されており、この連結部２７の上端が拡幅部３４の下端（すなわち、屈曲部Ｓの下端）と連結されている。言い換えれば、連結部２７は、内部にバンド挿通路２２を有する支柱体２１と、バンド３０の根元部分との間を接続している。なお、本実施形態において、支柱体２１の底面（下面）及び背面（後面）は開口しているが、支柱体２１の下端（バックル部２０の下端）の後方側には左右方向に延びる下端連結部２８（図５〜図７）が設けられている。また、バックル部２０には、前面２１ｂと下面（本実施形態では、クリップ片２３の下端面）に対して傾斜して当該前面２１ｂと下面とをつなぐ面取り部ｒ（図５）が形成され、また、背面（
本実施形態では、下端連結部２８の背面）と下面（クリップ片２３の下端面）に対して傾斜して当該背面と下面とをつなぐ面取り部ｒが形成されている。このように傾斜した面取り部ｒがバックル部２０の下方側に形成されることにより、バックル部２０を取付パネル４０の取付孔４１に挿入させ易くすることができる。
【００３３】
クリップ片２３（取付片）は、取付パネル４０の取付孔４１に嵌合して配線クランプ１を取付パネル４０に支持させるものであり、支柱体２１の両側に配設されている。クリップ片２３は、支柱体２１の下端から斜め上方側に向けて折り返し状に形成されており、図４に示すように、その左右方向外側には取付パネル４０の取付孔４１の内周縁と係合する係合段部２３ａが設けられている。この係合段部２３ａは、クリップ片２３が取付パネル４０の取付孔４１に内挿されたときに弾性変形して当該係合段部２３ａが取付孔４１の内縁に嵌合する。係合段部２３ａが取付孔４１の内縁に嵌合することでバックル部２０の挿着を可能としている。
【００３４】
支柱体２１の両側に設けられたクリップ片２３の一端には、それぞれ脚片２４が連結されている。脚片２４は、バックル部２０の中心軸（言い換えれば、取付孔４１の中心軸ＡＸ）から離れる方向に延在し、且つ、図４に示すように、正面視で略くの字状に屈曲して形成されている。脚片２４は、樹脂材料の弾性によって弾性変形可能に構成されており、クリップ片２３を取付パネル４０の取付孔４１に嵌合させたときに、当該取付パネル４０の表面にその先端部２４ａが弾性接触されるようになっている。したがって、バックル部２０を取付パネル４０に取付ける際には、係合段部２３ａが取付孔４１の内縁に嵌合すると共に、脚片２４の先端部２４ａが取付パネル４０の表面に弾性接触された状態でバックル部２０が支持されるので、バックル部２０の上下方向（取付パネル４０の厚さ方向）にがたつくことを抑制することができる。また、取付パネル４０の厚さが薄い場合及び厚い場合のいずれの場合においても、樹脂材料の弾性によって弾性変形可能に構成された脚片２４の先端部２４ａが、取付パネル４０の表面に弾性接触された状態で保持されるため、配線クランプ１ががたつくことなく様々な板厚に対応することができる。
【００３５】
以上説明したように、バックル部２０の支柱体２１のうち、バンド挿通路２２内に位置するロック片２５の前方側の領域が開口していることで、バックル部２０を成形する際に用いる金型構造が複雑化することを抑制することができる。その理由を以下に説明する。図５に、一例として、バックル部２０を成形するための金型の概略構成（コアＭ´、キャビティＭ）を破線で示す。図５では、金型を構成するコアＭ´とキャビティＭとが合わさることで空洞部ができ、その空洞部に樹脂を注入することでバックル部２０の成形品を成形することを想定している。
【００３６】
コアＭ´におけるキャビティＭ側の面（図５ではコアＭ´の右側面）に形成された形状が、バックル部２０成形品の前方側外観を表す形状となるが、本実施形態では、バンド挿通路２２内に位置するロック片２５が前方側に露出しているので、コアＭ´を前後方向に移動させることで、空洞部に充填した樹脂を金型から取り出すことができる。すなわち、コアＭ´を単純に開くだけで、バックル部２０成形品の前方側外観を成形することができる。なお、バックル部２０成形品の後方側外観を表す形状は、キャビティＭにおけるコアＭ´側の面（図５ではキャビティＭの左側面）に有する形状となる。つまり、本実施形態におけるバックル部２０を含む配線クランプ１は、金型を単純に開くだけでは取り出せないアンダーカット部が存在しないので、アンダーカット部を成形するための、例えばスライドコア等を備えた金型構造とする必要がない。これにより、金型構造が複雑化することを抑えることができ、配線クランプ１を成形する際に用いる金型サイズ及び金型コストの増加を抑えることができる結果、製品コストの低減を図ることができる。
【００３７】
図６及び図７に、電線やワイヤハーネス等の円形断面を有する被結束物Ｗを保持した配線クランプ１を、取付パネル４０の取付孔４１に取付けた状態を示す。図６（Ａ）及び図６（Ｂ）は、最小線径束線時の取付パネル４０への取付状態を示す側面図及び背面図である。図７（Ａ）及び図７（Ｂ）は、最大線径束線時の取付パネル４０への取付状態を示す側面図及び背面図である。
【００３８】
以上説明した構成の配線クランプ１によれば、図６及び図７に示す被結束物Ｗを取付パネル４０に保持する際には、例えば、先に保持する対象物である被結束物Ｗにバンド３０を巻回し、バンド３０をバックル部２０のバンド挿通路２２に挿通させ、挿通させたバンド３０の先端部３６を引っ張って緊縛する。これにより、バンド３０の係止歯３１がロック片２５の被係止歯２５１に係合され、バンド３０はバックル部２０に対して挿入方向と反対方向への移動が係止され、バンド３０によって被結束物Ｗを結束する。
【００３９】
その上で、バックル部２０のクリップ片２３を、取付パネル４０の取付孔４１に挿入すると、一対のクリップ片２３は、内側に弾性変形されながら取付孔４１に内挿され、係合段部２３ａが取付孔４１の内縁を乗り越えると外側に弾性復帰して当該内縁に嵌合される
。このとき、脚片２４は上方に幾分弾性変形されるのでその弾性復帰力によってその先端部２４ａが取付パネル４０の表面に弾性接触する。これにより、クリップ片２３が取付孔４１の内縁に当接されると共に、脚片２４とクリップ片２３の係合段部２３ａとで取付パネル４０を板厚方向に挟持した状態で、バックル部２０が取付パネル４０に固定される。
【００４０】
図６に示すように、バンド３０の根元部分は他の部分より拡張し且つ薄く形成されているため、小径の被結束物Ｗを巻回するのにバンド３０が撓み易く小径の被結束物Ｗに適するようになっている。すなわち、小径の被結束物Ｗを巻回する場合において、当該被結束物Ｗの外周面に追従するようにバンド３０がその根元部分から撓み、バックル部２０の上面に小径の被結束物Ｗを拘束することができる。
【００４１】
更に本実施形態では、前述したように、バンド３０の根元部分は、他の部分より拡張し且つ薄く形成されていることに加えて屈曲部Ｓを有しているため、バンド３０の撓み易さが更に向上し、大径の被結束物Ｗにも適するようになっている。
【００４２】
具体的には、比較例として示すバンド１００（根元部分に屈曲部を有していないバンド
）を用いて大径の被結束物を巻回した場合には、図７（Ａ）に破線で示すように、バンド１００の撓み量が十分ではないため、バンド１００により巻回された大径の被結束物の軸心Ｏ´が、取付孔４１の中心軸ＡＸに対して大きく位置ずれしてしまう。これに対して、本実施形態では、バンド３０がその根元部分からより撓み易くなっているため、図７（Ａ
）に実線で示すように、大径の被結束物Ｗを巻回する場合に、バンド３０が後方側（図７（Ａ）では右方向）に撓んだ状態で被結束物Ｗを巻回することができる。その結果、取付孔４１の中心軸ＡＸ上（言い換えれば、バックル部２０の中心軸上）に、大径の被結束物Ｗの軸心Ｏが位置するように保持することができる。
【００４３】
以上説明したように、本実施形態の配線クランプ１によれば、クランプ時における被結束物の軸心が、被結束物の外径の大小に関わらず取付パネル４０の取付孔４１の中心軸ＡＸ上に位置するように保持することができる。
【００４４】
また本実施形態における配線クランプ１では、図６及び図７に示すように、クリップ片２３は、支柱体２１の側方位置において取付孔４１に嵌合され、更に、クリップ片２３に連結された脚片２４は、支柱体２１の側方位置に設けられている。そのため、支柱体２１の高さ方向の寸法領域（高さＬ２）に、クリップ片２３及び脚片２４が位置した状態で取付孔４１に嵌合される。脚片２４は支柱体２１の上端（バックル部２０の上端）の高さよりも低く抑えられているので、取付パネル４０に対するバックル部２０の高さＬ１を抑えることができる。その結果、取付パネル４０の表面上における配線クランプ１の全体高さ寸法が抑制され、取付パネル４０に配線クランプ１を取り付けたときの配線クランプ１の薄型化を図ることができる。
【００４５】
以上説明した実施形態は、本発明の理解を容易にするためのものであり、本発明を限定して解釈するためのものではない。実施形態が備える各要素並びにその配置、材料、条件
、形状及びサイズ等は、例示したものに限定されるわけではなく適宜変更することができる。また、異なる実施形態で示した構成同士を部分的に置換し又は組み合わせることが可能である。
【符号の説明】
【００４６】
１…配線クランプ
２０…バックル部
２１…支柱体
２２…バンド挿通路
２３…クリップ片（取付片）
２３ａ…係合段部
２４…脚片
２４ａ…先端部
２５…ロック片
３０…バンド
３１…係止歯（係止部）
３４…拡幅部
３５…貫通穴
４０…取付パネル
４１…取付孔
２５１…被係止歯（被係止部）
ＡＸ…中心軸
Ｒ…開口部
Ｒａ…第１開口部
Ｒｂ…第２開口部
Ｓ…屈曲部
Ｗ…被結束物
【図１】
2020054230.tif 000003
【図２】
2020054230.tif 000004
【図３】
2020054230.tif 000005
【図４】
2020054230.tif 000006
【図５】
2020054230.tif 000007
【図６】
2020054230.tif 000008
【図７】
2020054230.tif 000009
【図８】
2020054230.tif 000010